【手続補正書】
【提出日】平成16年6月29日(2004.6.29)
【手続補正１】
【補正対象書類名】明細書
【補正対象項目名】特許請求の範囲
【補正方法】変更
【補正の内容】
【特許請求の範囲】
【請求項１】
入射される直線偏光の偏光状態を外部から与えられる映像信号に応じて変調して変調光を出射する液晶パネルと、
前記液晶パネルに内蔵された温度センサと、
前記温度センサによって検出された温度に基づいて、前記液晶パネルに供給する前記映像信号に応じた電圧を補正する電圧補正手段と
を備えたことを特徴とする液晶プロジェクタ。
【請求項２】
入射される直線偏光の偏光状態を外部から与えられる映像信号に応じて変調して変調光を出射する液晶パネルと、
前記液晶パネルに内蔵された温度センサと、
前記直線偏光を発生する光源手段と、
前記温度センサによって検出された温度が所定範囲から外れたときに、前記光源手段の作動を停止する制御手段と
を備えたことを特徴とする液晶プロジェクタ。
【請求項３】
入射される直線偏光の偏光状態を外部から与えられる映像信号に応じて変調して変調光を出射する液晶パネルと、
前記液晶パネルに内蔵された温度センサと、
前記直線偏光を発生する光源手段と、
前記温度センサによって検出された温度が所定範囲から外れたときに、その旨を外部に知らせる報知手段と
を備えたことを特徴とする液晶プロジェクタ。
【請求項４】
入射される光を外部から与えられる映像信号に応じて変調する空間光変調素子において、
当該空間光変調素子の温度を検出する温度検出手段と、
前記温度検出手段によって検出された温度に基づいて、当該空間光変調素子の温度を調整する温度調整手段と
を備えたことを特徴とする空間光変調素子。
【請求項５】
請求項４に記載の空間光変調素子において、
当該空間光変調素子は、液晶パネルであり、
前記液晶パネルは、入射される直線偏光の偏光状態を外部から与えられる映像信号に応じて変調して変調光を出射する
ことを特徴とする空間光変調素子。
【請求項６】
請求項５に記載の空間光変調素子において、
前記温度検出手段は、前記液晶パネルの基体部に内蔵された温度センサである
ことを特徴とする空間光変調素子。
【請求項７】
請求項５または請求項６に記載の空間光変調素子において、
前記温度調整手段は、前記液晶パネルの基体部に密着配置された電子冷却加熱素子を含む
ことを特徴とする空間光変調素子。
【請求項８】
請求項７に記載の空間光変調素子において、
前記液晶パネルは、前記直線偏光の入射面から前記変調光を出射する反射型液晶パネルであり、
前記電子冷却加熱素子は、前記液晶パネルの前記入射面の反対側の面に密着配置される
ことを特徴とする空間光変調素子。
【請求項９】
請求項７に記載の空間光変調素子において、
前記液晶パネルは、前記直線偏光の入射面と前記変調光の出射面とが対向している透過型液晶パネルであり、
前記電子冷却加熱素子は、前記液晶パネルの前記入射面および前記出射面以外の面に密着配置される
ことを特徴とする空間光変調素子。
【請求項１０】
請求項７から請求項９の何れか１項に記載の空間光変調素子において、
前記電子冷却加熱素子は、ペルチェ素子である
ことを特徴とする空間光変調素子。
【請求項１１】
請求項７から請求項１０の何れか１項に記載の空間光変調素子を用いた液晶プロジェクタであって、
当該液晶プロジェクタは、前記液晶パネルを１つ以上有し、
前記１つ以上の液晶パネルには個々に、前記温度センサが内蔵されると共に前記電子冷却加熱素子が密着配置され、
前記温度調整手段は、前記個々の温度センサによって検出された温度に基づいて、対応する前記電子冷却加熱素子を個々に駆動し、前記液晶パネルの温度を個別に調整する
ことを特徴とする液晶プロジェクタ。
【手続補正２】
【補正対象書類名】明細書
【補正対象項目名】００１１
【補正方法】変更
【補正の内容】
【００１１】
【課題を解決するための手段】
請求項１に記載の発明は、入射される直線偏光の偏光状態を外部から与えられる映像信号に応じて変調して変調光を出射する液晶パネルと、前記液晶パネルに内蔵された温度センサと、前記温度センサによって検出された温度に基づいて、前記液晶パネルに供給する前記映像信号に応じた電圧を補正する電圧補正手段とを備えたものである。
【手続補正３】
【補正対象書類名】明細書
【補正対象項目名】００１２
【補正方法】変更
【補正の内容】
【００１２】
請求項２に記載の発明は、入射される直線偏光の偏光状態を外部から与えられる映像信号に応じて変調して変調光を出射する液晶パネルと、前記液晶パネルに内蔵された温度センサと、前記直線偏光を発生する光源手段と、前記温度センサによって検出された温度が所定範囲から外れたときに、前記光源手段の作動を停止する制御手段とを備えたものである。
【手続補正４】
【補正対象書類名】明細書
【補正対象項目名】００１３
【補正方法】変更
【補正の内容】
【００１３】
請求項３に記載の発明は、入射される直線偏光の偏光状態を外部から与えられる映像信号に応じて変調して変調光を出射する液晶パネルと、前記液晶パネルに内蔵された温度センサと、前記直線偏光を発生する光源手段と、前記温度センサによって検出された温度が所定範囲から外れたときに、その旨を外部に知らせる報知手段とを備えたものである。
【手続補正５】
【補正対象書類名】明細書
【補正対象項目名】００１４
【補正方法】変更
【補正の内容】
【００１４】
請求項４に記載の発明は、入射される光を外部から与えられる映像信号に応じて変調する空間光変調素子において、当該空間光変調素子の温度を検出する温度検出手段と、温度検出手段によって検出された温度に基づいて、当該空間光変調素子の温度を調整する温度調整手段とを備えたものである。
請求項５に記載の発明は、請求項４に記載の空間光変調素子が液晶パネルであり、液晶パネルは、入射される直線偏光の偏光状態を外部から与えられる映像信号に応じて変調して変調光を出射するものである。
【手続補正６】
【補正対象書類名】明細書
【補正対象項目名】００１５
【補正方法】変更
【補正の内容】
【００１５】
請求項６に記載の発明は、請求項５に記載の空間光変調素子において、温度検出手段は、液晶パネルの基体部に内蔵された温度センサである。
請求項７に記載の発明は、請求項５または請求項６に記載の空間光変調素子において、温度調整手段は、液晶パネルの基体部に密着配置された電子冷却加熱素子を含むものである。
【手続補正７】
【補正対象書類名】明細書
【補正対象項目名】００１６
【補正方法】変更
【補正の内容】
【００１６】
請求項８に記載の発明は、請求項７に記載の空間光変調素子において、液晶パネルは、直線偏光の入射面から変調光を出射する反射型液晶パネルであり、電子冷却加熱素子は、液晶パネルの入射面の反対側の面に密着配置される。
請求項９に記載の発明は、請求項７に記載の空間光変調素子において、液晶パネルは、直線偏光の入射面と変調光の出射面とが対向している透過型液晶パネルであり、電子冷却加熱素子は、液晶パネルの入射面および出射面以外の面に密着配置される。
【手続補正８】
【補正対象書類名】明細書
【補正対象項目名】００１７
【補正方法】変更
【補正の内容】
【００１７】
請求項１０に記載の発明は、請求項７から請求項９の何れか１項に記載の空間光変調素子において、電子冷却加熱素子は、ペルチェ素子である。
請求項１１に記載の発明は、請求項７から請求項１０の何れか１項に記載の空間光変調素子を用いた液晶プロジェクタであって、当該液晶プロジェクタは、液晶パネルを１つ以上有し、１つ以上の液晶パネルには個々に、温度センサが内蔵されると共に電子冷却加熱素子が密着配置され、温度調整手段は、個々の温度センサによって検出された温度に基づいて、対応する電子冷却加熱素子を個々に駆動し、液晶パネルの温度を個別に調整するものである。
【手続補正９】
【補正対象書類名】明細書
【補正対象項目名】００１８
【補正方法】変更
【補正の内容】
【００１８】
（作用）
請求項１に記載の発明にかかわる液晶プロジェクタでは、液晶パネルに内蔵された温度センサによって、入射される直線偏光を外部から受けたときに生じる液晶パネル自体の温度上昇を精度良く検出することができる。また、温度センサによって検出された液晶パネルの温度に基づいて、電圧補正手段が、液晶パネルに供給される映像信号に応じた電圧を補正するので、液晶パネルの温度変化に応じた補正後の電圧で常に安定した投影映像を得ることができる。
【手続補正１０】
【補正対象書類名】明細書
【補正対象項目名】００１９
【補正方法】変更
【補正の内容】
【００１９】
請求項２に記載の発明にかかわる液晶プロジェクタでは、液晶パネルに内蔵された温度センサによって、入射される直線偏光を外部から受けたときに生じる液晶パネル自体の温度上昇を精度良く検出することができる。また、温度センサによって検出された液晶パネルの温度が所定範囲から外れたときに、制御手段が、光源手段の作動を停止するので、液晶パネルの温度の異常な上昇を未然に防ぐことができる。
【手続補正１１】
【補正対象書類名】明細書
【補正対象項目名】００２０
【補正方法】変更
【補正の内容】
【００２０】
請求項３に記載の発明にかかわる液晶プロジェクタでは、液晶パネルに内蔵された温度センサによって、入射される直線偏光を外部から受けたときに生じる液晶パネル自体の温度上昇を精度良く検出することができる。また、温度センサによって検出された液晶パネルの温度が所定範囲から外れたときに、報知手段が、その旨を知らせるので、液晶パネルの温度の異常な上昇を未然に防ぐことができる。
【手続補正１２】
【補正対象書類名】明細書
【補正対象項目名】００２１
【補正方法】変更
【補正の内容】
【００２１】
請求項４に記載の発明にかかわる空間光変調素子では、温度検出手段によって検出された空間光変調素子の温度に基づいて、温度調整手段が、空間光変調素子の温度を調整するので、実際の空間光変調素子自体の温度変化に応じて温度制御ができる。
請求項５に記載の発明にかかわる空間光変調素子では、温度検出手段によって検出された液晶パネルの温度に基づいて、温度調整手段が、液晶パネルの温度を調整するので、実際の液晶パネル自体の温度変化に応じて温度制御ができる。
【手続補正１３】
【補正対象書類名】明細書
【補正対象項目名】００２２
【補正方法】変更
【補正の内容】
【００２２】
請求項６に記載の発明にかかわる空間光変調素子では、温度調整手段が、液晶パネルに内蔵された温度センサによって検出された液晶パネルの温度に基づいて、液晶パネルの温度を調整するので、より精度の高い温度制御ができる。
請求項７に記載の発明にかかわる空間光変調素子では、温度センサによって検出された液晶パネルの温度に基づいて、液晶パネルに密着配置された電子冷却加熱素子が、液晶パネルを冷却／加熱するので、液晶パネルの温度制御を応答良く行うことができる。
【手続補正１４】
【補正対象書類名】明細書
【補正対象項目名】００２３
【補正方法】変更
【補正の内容】
【００２３】
請求項８に記載の発明にかかわる空間光変調素子では、電子冷却加熱素子が反射型液晶パネルの入射面の反対側の面に密着配置されるので、反射型液晶パネルによる直線偏光の変調動作が、電子冷却加熱素子に妨げられることがない。
【手続補正１５】
【補正対象書類名】明細書
【補正対象項目名】００２４
【補正方法】変更
【補正の内容】
【００２４】
請求項９に記載の発明にかかわる空間光変調素子では、電子冷却加熱素子が透過型液晶パネルの入射面および出射面以外の面に密着配置されるので、透過型液晶パネルによる直線偏光の変調動作が、電子冷却加熱素子に妨げられることがない。
請求項１０に記載の発明にかかわる空間光変調素子では、温度センサによって検出された液晶パネルの温度に基づいて、ペルチェ素子に流す電流の大きさと向きを変えるだけで、液晶パネルを冷却／加熱することができ、液晶パネルの温度制御が容易になる。
【手続補正１６】
【補正対象書類名】明細書
【補正対象項目名】００２５
【補正方法】変更
【補正の内容】
【００２５】
請求項１１に記載の発明にかかわる液晶プロジェクタでは、個々の液晶パネルに内蔵された温度センサによって検出された温度に基づいて、液晶パネルの個々に配置された電子冷却加熱素子が個々に駆動されるので、各液晶パネルの温度変化に応じた精度の高い液晶パネルの温度制御が可能になる。
【手続補正１７】
【補正対象書類名】明細書
【補正対象項目名】００２７
【補正方法】変更
【補正の内容】
【００２７】
（第１実施形態）
図１は、第１実施形態の液晶プロジェクタ１０の全体構成を示す図である。この第１実施形態は、請求項４〜請求項８，請求項１０，請求項１１に対応する。
第１実施形態の液晶プロジェクタ１０は、図１に示されるように、その筐体１１内に、光源１２と、照明光学系１３と、偏光ビームスプリッタ１４と、クロスダイクロイックミラー１５と、各々に温度検出手段が設けられた３つの液晶パネル１６，１７，１８（空間光変調素子）と、投影レンズ１９と、冷却ファン２１と、温度制御回路２３とが配置されたものである。
【手続補正１８】
【補正対象書類名】明細書
【補正対象項目名】００５３
【補正方法】変更
【補正の内容】
【００５３】
また、第１実施形態の液晶プロジェクタ１０では、液晶パネル１６〜１８を集中的に空冷するための冷却ファンが不要となるので、液晶プロジェクタ１０全体の小型化、軽量化を図ることもできる。
（第２実施形態）
次に、第２実施形態の液晶プロジェクタ５０について、図４，図５を用いて説明する。この第２実施形態は、請求項１，請求項４〜請求項８，請求項１０，請求項１１に対応する。
【手続補正１９】
【補正対象書類名】明細書
【補正対象項目名】００６６
【補正方法】変更
【補正の内容】
【００６６】
（第３実施形態）
次に、第３実施形態の液晶プロジェクタ６０について、図６，図７を用いて説明する。この第３実施形態は、請求項２，請求項４〜請求項８，請求項１０，請求項１１に対応する。
図６に示されるように、この第３実施形態の液晶プロジェクタ６０は、第１実施形態の液晶プロジェクタ１０と同様に、その筐体１１内に、光源１２と、照明光学系１３と、偏光ビームスプリッタ１４と、クロスダイクロイックミラー１５と、各々に温度検出手段が設けられた３つの液晶パネル１６，１７，１８と、投影レンズ１９と、冷却ファン２１と、温度制御回路６３とが配置されたものである。なお、図６において、第１実施形態の液晶プロジェクタ１０と構成が同じものには同じ符号を付してある。
この第３実施形態の液晶プロジェクタ６０は、３つの液晶パネル１６〜１８に内蔵された温度センサ１６Ａ〜１８Ａからの温度信号Ｔ１〜Ｔ３に基づいて、ペルチェユニット１６Ｂ〜１８Ｂを駆動すると共に、検出された温度信号Ｔ１〜Ｔ３に基づいて、光源１２を強制的に消灯する温度制御回路６３が、温度制御回路２３に代えて設けられている点で、第１実施形態の液晶プロジェクタ１０とは異なる。
【手続補正２０】
【補正対象書類名】明細書
【補正対象項目名】００７６
【補正方法】変更
【補正の内容】
【００７６】
（第４実施形態）
次に、第４実施形態の液晶プロジェクタ７０について、図８，図９を用いて説明する。この第４実施形態は、請求項３，請求項４〜請求項８，請求項１０，請求項１１に対応する。
図８に示されるように、この第４実施形態の液晶プロジェクタ７０は、その筐体１１内に、光源１２と、照明光学系１３と、偏光ビームスプリッタ１４と、クロスダイクロイックミラー１５と、各々に温度検出手段が設けられた３つの液晶パネル１６，１７，１８と、投影レンズ１９と、冷却ファン２１と、温度制御回路７３と、さらに警報ランプ７４とが配置されたものである。なお、図８において、第１実施形態の液晶プロジェクタ１０と構成が同じものには同じ符号を付してある。
この第４実施形態の液晶プロジェクタ７０は、３つの液晶パネル１６〜１８に内蔵された温度センサ１６Ａ〜１８Ａからの温度信号Ｔ１〜Ｔ３に基づいて、ペルチェユニット１６Ｂ〜１８Ｂを駆動すると共に、検出された温度信号Ｔ１〜Ｔ３に基づいて、液晶パネル１６〜１８の温度が所定の温度以上となったときに警報ランプ７４を点灯する温度制御回路７３が、温度制御回路２３に代えて設けられている点で、第１実施形態の液晶プロジェクタ１０とは異なる。
【手続補正２１】
【補正対象書類名】明細書
【補正対象項目名】００９２
【補正方法】変更
【補正の内容】
【００９２】
【発明の効果】
上述したように、請求項１に記載した発明では、内蔵された温度センサによって液晶パネルの温度上昇を精度良く検出できるので、液晶パネルの温度変化に応じた温度制御を応答性良く行うことができる。また、液晶パネルに供給される映像信号に応じた電圧が、実際の液晶パネルの温度変化に応じて補正されるので、常に安定した投影映像を得ることができ、液晶プロジェクタの投影能力の向上が図られる。
【手続補正２２】
【補正対象書類名】明細書
【補正対象項目名】００９３
【補正方法】変更
【補正の内容】
【００９３】
さらに、請求項２および請求項３に記載した発明では、内蔵された温度センサによって液晶パネルの温度上昇を精度良く検出できるので、液晶パネルの温度変化に応じた温度制御を応答性良く行うことができる。また、液晶パネルの温度の異常な上昇を未然に防ぐことができるので、液晶パネルの破壊や、液晶パネル自体の性能の低下、短寿命化を防止できる。
また、請求項４から請求項６に記載した発明では、温度検出手段によって検出された空間光変調素子の温度に基づいて空間光変調素子の温度が調整されるので、実際の空間光変調素子自体の温度に応じた温度制御により、一定の温度条件下での安定した動作が保障される。
【手続補正２３】
【補正対象書類名】明細書
【補正対象項目名】００９４
【補正方法】変更
【補正の内容】
【００９４】
さらに、請求項７に記載した発明では、液晶パネルに密着配置された電子冷却加熱素子によって液晶パネルの冷却／加熱が行われるので、液晶パネルの温度制御が簡易で応答性良くなり、常に一定の温度条件下での安定した動作が保障される。
【手続補正２４】
【補正対象書類名】明細書
【補正対象項目名】００９５
【補正方法】変更
【補正の内容】
【００９５】
また、請求項８に記載した発明では、反射型液晶パネルによる直線偏光の変調動作を妨げることなく、電子冷却加熱素子による温度変化に応じた温度調整が可能となる。
さらに、請求項９に記載した発明では、透過型液晶パネルによる直線偏光の変調動作を妨げることなく、電子冷却加熱素子による温度変化に応じた温度調整が可能となる。
【手続補正２５】
【補正対象書類名】明細書
【補正対象項目名】００９６
【補正方法】変更
【補正の内容】
【００９６】
また、請求項１０に記載した発明では、ペルチェ素子に流す電流の大きさと向きを変えるだけで液晶パネルを冷却／加熱することができ、液晶パネルを一定の温度条件下で安定して動作させることができる。
また、請求項１１に記載した発明では、個々の液晶パネルの温度変化に応じた精度の高い温度制御を個別に行うことができるので、各色ごとに常に安定した温度条件下での投影映像を得ることができる。